(57)【要約】【課題】  容器本体に着脱自在に取付けられたラベルが従来例よりも容器本体から脱落しにくくなるようにする。【解決手段】  側壁部２の上端部２ａが開口部３の縁となっている容器本体１と容器本体１に着脱可能なラベル１０を備えた容器にて、側壁部２の外面２ｂに突起部４が形成され、ラベル１０は加撓性ある板状のものであって、ラベル本体１１とラベル本体１１と一体に形成された取付部１２を有し、取付部１２は、切込等により外周部分１４とその内側部分１５に区分され、内側部分１５に取付孔１６が形成され、外周部分１４を開口部３から側壁部２の内面２ｃ側に配置し、内側部分１５を側壁部２の外面２ｂ側に配置して、側壁部２を外周部分１４と内側部分１５により挟むようにしたときに、内側部分１５の取付孔１６が突起部４に係合する。【選択図】        図１
2005143335.tif 000002
【特許請求の範囲】
【請求項１】
側壁部の上端部が開口部の縁となっている容器本体とこの容器本体に着脱可能なラベルを備えた容器において、
前記側壁部の外面に突起部が形成され、
前記ラベルは加撓性ある板状のものであって、ラベル本体とこのラベル本体と一体に形成された取付部を有し、
前記取付部は、切込み等により外周部分とその内側部分に区分され、
前記取付部の内側部分に取付孔が形成され、
前記取付部の外周部分を前記開口部から前記側壁部の内面側に配置し、前記取付部の内側部分を前記側壁部の外面側に配置して、前記側壁部を前記取付部の外周部分と内側部分により挟むようにしたときに、前記内側部分の取付孔が前記側壁部の外面の突起部に係合することを特徴とする容器。
【請求項２】
側壁部の上端部が開口部の縁となっている容器本体とこの容器本体に着脱可能なラベルを備えた容器において、
前記ラベルは加撓性ある板状のものであって、ラベル本体とこのラベル本体と一体に形成された取付部を有し、
前記取付部の本体部の横幅は前記ラベル本体の横幅よりも狭く形成され、
前記取付部の下端部に横方向の張出部が形成され、
前記側壁部の外面に前記取付部の本体部の前記横幅方向の両側端部を係止可能な係止部が形成され、
前記係止部が前記取付部の本体部の前記横幅方向の両側端部を係止したときに、前記ラベル本体が上側ストッパとなり、前記張出部が下側ストッパとなって、前記取付部の本体部が前記係止部から上下方向に外れることが防止されることを特徴とする容器。
【請求項３】
請求項２に記載した容器において、
前記ラベルの取付部に取付孔が形成され、
前記側壁部の外面に突起部が形成され、
前記側壁部の外面の係止部に前記ラベルの取付部の横幅方向の両側端部が係止されたときに、前記ラベルの取付部の取付孔が前記側壁部の外面の突起部に係合することを特徴とする容器。
【発明の詳細な説明】
【技術分野】
【０００１】
本発明は、苗の育成用等の容器に関し、特に、容器本体に取付けられたラベルの脱落を確実に防ぐことができる容器に関するものである。
【背景技術】
【０００２】
苗の育成用容器において、容器本体の側壁部の上端部に設けられた鍔部に孔が形成され、この孔に前記苗に関する情報の表示用のラベルの下部が差し込まれているものがある。この場合、ラベルは、その下部の両側に上方に開口する切欠が設けられているので、前記孔からラベルの下部を引き抜く場合に、前記切欠が前記孔の縁に引っ掛るため、前記孔からラベルが抜け落ちにくくなっている（例えば特許文献１）。
【特許文献１】実開平７−７３７２号公報
【発明の開示】
【発明が解決しようとする課題】
【０００３】
しかし、上記従来例では、鍔部の孔にラベルの下部を差し込んでいるので、前記切欠がラベルの下部に形成されていても、前記切欠が形成されている部分が前記孔を挿通しているため、前記切欠は前記ラベルが前記孔から抜け落ちることを確実に防ぐことができなかった。
そこで、本発明が解決しようとする課題は、容器本体に着脱自在に取付けられたラベルが上記従来例よりも容器本体から脱落しにくくなるようにすることである。
【課題を解決するための手段】
【０００４】
上記課題を解決するため、請求項１記載の発明は、側壁部の上端部が開口部の縁となっている容器本体とこの容器本体に着脱可能なラベルを備えた容器において、前記側壁部の外面に突起部が形成され、前記ラベルは加撓性ある板状のものであって、ラベル本体とこのラベル本体と一体に形成された取付部を有し、前記取付部は、切込み等により外周部分とその内側部分に区分され、前記取付部の内側部分に取付孔が形成され、前記取付部の外周部分を前記開口部から前記側壁部の内面側に配置し、前記取付部の内側部分を前記側壁部の外面側に配置して、前記側壁部を前記取付部の外周部分と内側部分により挟むようにしたときに、前記内側部分の取付孔が前記側壁部の外面の突起部に係合することを特徴とする容器である。
このため、加撓性ある板状のラベルを撓めて、このラベルの取付部の外周部分を容器の側壁部の内面側に、前記取付部の内側部分を前記側壁部の外面側に配置して、前記側壁部を前記取付部の外周部分と内側部分により挟むようにしたときに、前記内側部分の取付孔が前記側壁部の外面の突起部に係合するので、ラベルを前記側壁部に着脱自在に取付けることができ、かつ、取付けられたラベルが前記側壁部から脱落することを上記従来例よりも確実に防ぐことができる。
【０００５】
さらに、請求項２記載の発明は、側壁部の上端部が開口部の縁となっている容器本体とこの容器本体に着脱可能なラベルを備えた容器において、前記ラベルは加撓性ある板状のものであって、ラベル本体とこのラベル本体と一体に形成された取付部を有し、前記取付部の本体部の横幅は前記ラベル本体の横幅よりも狭く形成され、前記取付部の下端部に横方向の張出部が形成され、前記側壁部の外面に前記取付部の本体部の前記横幅方向の両側端部を係止可能な係止部が形成され、前記係止部が前記取付部の本体部の前記横幅方向の両側端部を係止したときに、前記ラベル本体が上側ストッパとなり、前記張出部が下側ストッパとなって、前記取付部の本体部が前記係止部から上下方向に外れることが防止されることを特徴とする容器である。
これにより、加撓性ある板状のラベルを撓めて、このラベルの本体部の前記横幅方向の両側端部を前記係止部に係止したときに、前記ラベル本体が前記取付部の前記係止部から下方への脱落を防ぎ、前記横方向の張出部が前記取付部の前記係止部から上方へ外れることを防ぐので、上記従来例よりも確実にラベルが容器から脱落することを防ぐことができる。
【０００６】
さらに、請求項３記載の発明は、請求項２記載の発明において、前記ラベルの取付部に取付孔が形成され、前記側壁部の外面に突起部が形成され、前記側壁部の外面の係止部に前記ラベルの取付部の横幅方向の両側端部が係止されたときに、前記ラベルの取付部の取付孔が前記側壁部の外面の突起部に係合することである。
これにより、前記側壁部の外面の係止部に前記ラベルの取付部の本体部の横幅方向の両側端部が係止されたときに、前記ラベルの取付部の取付孔が前記側壁部の外面の突起部に係合するので、一層確実にラベルを容器の側壁に取付けることができる。
【発明の効果】
【０００７】
請求項１記載の発明に係る容器によれば、容器本体に着脱自在に取付けられたラベルが上記従来例よりも容器本体から脱落しにくくなる。
さらに、請求項２記載の発明に係る容器によっても、容器本体に着脱自在に取付けられたラベルが上記従来例よりも容器本体から脱落しにくくなる。
さらに、請求項３記載の発明によれば、上記請求項２記載の発明の効果とともに、一層確実にラベルを容器本体に取付けることができる。
【発明を実施するための最良の形態】
【０００８】
以下、図面を参照して本発明を実施するための最良の形態を説明する。
（第１の実施の形態）
図１は、本発明の第１の実施の形態に係る容器を示し、図２は図１の容器のラベルの正面を示す。
図１に示すように、容器本体１の側壁部２の上端部２ａが開口部３の縁となっている。この側壁部２の外面２ｂの上部（上端部を含む。）に横長の突起部４が形成され、この突起部４の先端部に横方向に張り出した張出部５が形成されている。
この容器本体１に着脱自在に取付け可能な加撓性ある板状のラベル１０は、図２に示すように、ラベル本体１１とこのラベル本体１１の下端部１１ａに一体に形成された取付部１２を有している。この取付部１２は、切込み１３等により外周部分１４とその内側部分１５に区分され、前記内側部分１５に横長の取付孔１６が形成されている。
【０００９】
上記第１の実施の形態の容器は以下の動作をする。
図１に示すように、加撓性あるラベル１０を撓めて、ラベル１０の取付部１２の外周部分１４を容器本体１の開口部３から側壁部２の内面２ｃ側に配置し、取付部１２の内側部分１５を側壁部２の外面２ｂ側に配置して、側壁部２を取付部１２の外周部分１４と内側部分１５により挟むようにしたときに、内側部分１５の取付孔１６が側壁部２の外面２ｂの突起部４に係合するので、ラベル１０を側壁部２に着脱自在に取付けることができ、かつ、取付けられたラベル１０が側壁部２から脱落することを上記従来例よりも確実に防ぐことができる。なお、このとき、張出部５により、取付孔１６が突起部４から外れにくくなっている。さらに、上述のように側壁部２に取り付けられたラベル１０を撓めることによりラベル１０を側壁部２から取り外すことができる。
【００１０】
（第２の実施の形態）
図３は本発明の第２の実施の形態に係る容器を示し、図４は図３の容器本体の側壁部の突起部を示し、図５は図３のＡ−Ａ断面を示し、図６は図３の容器のラベルの正面を示す。
図３に示すように、容器本体２０の側壁部２１の外面２１ａに縦長の突起部２２（図１の突起部４に相当する。）が形成され、突起部２２の先端部に図４に示すように横方向および下方向に張り出した張出部２３が形成されている。可撓性ある板状のラベル３０は図６に示すようにラベル本体３１とラベル本体３１の下端部に一体に形成された取付部３２を有し、取付部３２は切込３３等により外周部分３４とその内側部分３５とに区分されている。そして、内側部分３５には縦長の取付孔３６（図２の取付孔１６に相当する。）が形成されている。その他は、上記第１の実施の形態と同様である。
【００１１】
上記第２の実施の形態に係る容器は以下の動作をする。
上記第１の実施の形態と同様に、可撓性あるラベル３０を撓めて、図１および図５のいずれかに示すようにラベル３０の取付部３２の外周部分３４を容器本体２０の側壁部２１の内面２１ｂ側に、取付部３２の内側部分３５を側壁部２１の外面２１ａ側に配置して、側壁部２１を取付部３２の外周部分３４と内側部分３５により挟むようにしたときに、内側部分３５の取付孔３６が側壁部２１の外面２１ａの突起部２２に係合するので、ラベル３０を側壁部２１に着脱自在に取付けることができ、かつ、取付けられたラベル３０が側壁部２１から脱落することを上記従来例よりも確実に防ぐことができる。さらに、上述のように側壁部２１に取り付けられたラベル３０を撓めることによりラベル３０を側壁部２１から取り外すことができる。
【００１２】
（第３の実施の形態）
図７は、本発明の第３の実施の形態に係る容器を示し、図８は図７のラベルの正面を示す。
図７に示すように、容器本体４０の側壁部４１の上端部４１ａが開口部４２の縁となっている。容器本体４０用の可撓性ある板状のラベル５０は、図８に示すようにラベル本体５１とラベル本体５１の下端部５１ａと一体に形成された取付部５２を有し、取付部５２の本体部５２ａの横幅Ｗｂはラベル本体５１の下端部５１ａの横幅Ｗａよりも狭く形成され、取付部５２の下端部に横方向の張出部５３が形成されている。さらに、取付部５２には可撓性を向上させるため下向きのスリット５２ｂが形成されている。
そして、図７に示すように容器本体４０の側壁部４１の外面４１ｂの上部に帯状部４３が形成され、この帯状部４３にラベル５０の取付部５２の本体部５２ａの横幅Ｗｂ方向の両側端部を係止する係止部４４が形成されている。
【００１３】
上記第３の実施の形態に係る容器は以下の動作をする。
ラベル５０を撓めて、図７に示すように、ラベル５０の取付部５２の本体部５２ａの横幅Ｗｂ方向の両側端部を係止部４４に係止したときに、ラベル本体５１の下端部５１ａが上側のストッパとなり、張出部５３が下側のストッパとなるので、取付部５２が係止部４４から上下方向へ外れることを防ぐことができる。このため、上記従来例よりも確実にラベル５０が容器本体４０から脱落することを防ぐことができる。
【００１４】
（第４の実施の形態）
図９は本発明の第４の実施の形態に係る容器を示し、図１０は図９のＢ―Ｂ断面を示し、図１１は図１０のラベルの正面を示す。
図９に示すように容器本体６０の側壁部６１の上端部は開口部６２の縁となっており、側壁部６１の外面６１ａの上部には帯状部６３が形成されている。この帯状部６３には係止部６４（図７の係止部４４に相当する。）が形成され、さらに、側壁部６１の外面６１ａに突起部６５が形成されている。
図１１に示すように、可撓性ある板状のラベル７０はラベル本体７１およびラベル本体７１と一体に形成された取付部７２を備えている。この取付部７２の本体部７２ａに取付孔７３が形成され、この取付部７２の下端部に横方向の張出部７４が形成されている。その他は、上記第３の実施の形態と同様である。
【００１５】
上記第４の実施の形態の容器は以下の動作をする。
図９および図１０のいずれかに示すように、容器本体６０の側壁部６１の外面６１ａの係止部６４にラベル７０の取付部７２の本体部７２ａの横幅方向の両側端部が係止されたときに、ラベル７０の取付部７２の取付孔７３が側壁部６１の外面６１ａの突起部６５に係合するので、一層確実にラベル７０を容器本体６０に取り付けることができる。
【００１６】
なお、上記第１の実施例では、突起部４に張出部５が形成されているが、張出部５はなくてもよい。
同様に、上記第２の実施例では、突起部２２に張出部２３が形成されているが、張出部２３はなくてもよい。
また、第３の実施の形態では、取付部５２にスリット５２ｂが形成されているが、このスリット５２ｂは、なくてもよい。
また、ラベル本体１１、３１、５１、７１には、ラベル１０、３０、５０、７０が着脱自在に取り付けられる容器に植える苗等の説明を記載することができる。
【図面の簡単な説明】
【００１７】
【図１】本発明の第１の実施の形態に係る容器を示す斜視図である。
【図２】図１の容器のラベルの正面図である。
【図３】本発明の第２の実施の形態に係る容器を示す斜視図である。
【図４】図３の容器本体の側壁部の突起部を示す部分図である。
【図５】図３のＡ−Ａ断面を示す断面図である。
【図６】図３の容器のラベルの正面図である。
【図７】本発明の第３の実施の形態に係る容器を示す斜視図である。
【図８】図７の容器のラベルの正面図である。
【図９】本発明の第４の実施の形態に係る容器を示す斜視図である。
【図１０】図９のＢ―Ｂ断面を示す断面図である。
【図１１】図１０の容器のラベルの正面図である。
【符号の説明】
【００１８】
１  容器本体
２  側壁部
２ｂ  外面
２ｃ  内面
３  開口部
４  突起部
１０  ラベル
１２  取付部
１３  切込
１４  外周部分
１５  内側部分
１６  取付孔
２０  容器本体
２１  側壁部
２１ａ  外面
２１ｂ  内面
２２  突起部
３０  ラベル
３２  取付部
３３  切込
３４  外周部分
３５  内側部分
３６  取付孔
４０  容器本体
４１  側壁部
４１ｂ  外面
４４  係止部
５０  ラベル
５１  ラベル本体
５２  取付部
５２ａ  本体部
５３  張出部
６０  容器本体
６１  側壁部
６１ａ  外面
６４  係止部
６５  突起部
７０  ラベル
７２  取付部
７２ａ  本体部
７３  取付孔
７４  張出部
【図１】
2005143335.tif 000003
【図２】
2005143335.tif 000004
【図３】
2005143335.tif 000005
【図４】
2005143335.tif 000006
【図５】
2005143335.tif 000007
【図６】
2005143335.tif 000008
【図７】
2005143335.tif 000009
【図８】
2005143335.tif 000010
【図９】
2005143335.tif 000011
【図１０】
2005143335.tif 000012
【図１１】
2005143335.tif 000013